(57)【特許請求の範囲】
【請求項１】
硬質熱可塑性発泡樹脂からなる下地部の下面に、中空部を備えた硬質熱可塑性発泡樹脂からなる支持体が突出形成され、該支持体の中空部を塞ぐ底板がバネ定数３０×１０６Ｎ／ｍ２以下のエラスティックな独立気泡の熱可塑性発泡樹脂で形成されたことを特徴とする床下地材。
【請求項２】
中空部の側面および底面のうちの少なくとも一面に凹凸部が形成されたことを特徴とする請求項１に記載の床下地材。
【請求項３】
中空部の内壁は下側に向かって漸次外側に広がったことを特徴とする請求項１または２に記載の床下地材。
【請求項４】
中空部の内面のうちの少なくとも一つに軟質の吸音材が貼り付けられたことを特徴とする請求項１〜３のいずれかに記載の床下地材。
【請求項５】
中空部には吸音材が充填されたことを特徴とする請求項１〜４のいずれかに記載の床下地材。
【請求項６】
中空部の側面および底面のうちの少なくとも一つに小さな貫通孔を設けたことを特徴とする請求項１〜５のいずれかに記載の床下地材。
【請求項７】
中空部は平面方形、平面円形、平面多角形、平面蜂の巣形であることを特徴とする請求項１〜６のいずれかに記載の床下地材。
【請求項８】
コンクリート床面に請求項１〜７の床下地材のうちの少なくとも１種以上が敷き詰められ、これら床下地材の上に仕上げ材が設けられたことを特徴とするコンクリート床構造。
【発明の詳細な説明】
【０００１】
【発明の属する技術分野】
本発明は床下地材およびコンクリート床構造に関するものである。
【０００２】
【従来の技術】
従来、コンクリート構造物の床構造として、図１５に示すものが知られている。この床構造３０は、コンクリートスラブ３１の上に、不陸調整材３２としてのモルタルなどを介して発泡プラスチックス製の床下地材３３が敷き詰められ、この床下地材３３の上に仕上げ材３４が敷き詰められて構成されている。
【０００３】
【発明が解決しようとする課題】
上記のコンクリート床構造は、断熱性、温かさ、歩行の快適さ、安全性、配管の施工性などが優れているが、界床・衝撃音遮断性能（以下、床遮音性という）が悪いという問題があった。
【０００４】
本発明はこれらの問題に鑑みてなされたものであり、その目的は、床遮音性が優れた床下地材およびコンクリート床構造を提供することである。
【０００５】
上記の課題を解決するための手段である床下地材は、硬質熱可塑性発泡樹脂からなる下地部の下面に、中空部を備えた硬質熱可塑性発泡樹脂からなる支持体が突出形成され、該支持体の中空部を塞ぐ底板がバネ定数３０×１０６Ｎ／ｍ２以下のエラスティックな独立気泡の熱可塑性発泡樹脂で形成されたことを特徴とする。
【０００６】
支持体に設けた中空部により、床遮音性を高めることができる。また中空部のうちの少なくとも一面に形成した凹凸部で、床衝撃音の振動エネルギーが乱反射されて床遮音性を高める。また中空部の内壁が下側に向かって漸次外側に広がったことにより、床衝撃音の振動エネルギーが拡散されて床遮音性を高める。また中空部の側面または底面に貼り付けられた、軟質の吸音材で床衝撃音の振動エネルギーを吸収して床遮音性を高める。また中空部に充填した吸音材で床衝撃音の振動エネルギーを吸収して床遮音性を高める。また中空部の側面または底面に設けた小さな貫通孔により、床衝撃音の振動エネルギーを拡散して床遮音性を高める。床遮音性の高いコンクリート床構造を形成することができる。また平面方形、平面円形、平面多角形、平面蜂の巣形の中空部により、床衝撃音の振動エネルギーが拡散・吸収されるので床遮音性が高められる。また床下地材の上に合板やいわゆるコンパネなどの捨張りを敷き込むことにより、床遮音性がより一層高められる。
【０００７】
【発明の実施の形態】
以下、本発明の床下地材およびコンクリート床構造（以下床構造という）の実施の形態を図面に基づいて説明する。はじめに床下地材の実施の形態について説明した後、これを敷き詰めて形成した床構造の実施の形態について説明するが、各実施の形態において同じ構成は同じ符号を付して説明し、異なった構成にのみ異なった符号を付して説明する。
【０００８】
図１は、第１の実施の形態の床下地材１を示したものである。この床下地材１は、ポリスチレン系樹脂やポリオレフイン系樹脂などの硬質熱可塑性発泡樹脂からなる下地部２と、その下面に突設された支持体３とが一体形成され、前記下地部２の上面には桟木４が埋設されている。支持体３は二体からなり、下地部２とずれて形成されて、床下地材１の周囲に合いじゃくりとしての接続段部５を形成している。この支持体３の底板７は、圧縮バネ定数が３０×１０6Ｎ／ｍ2以下のエラスティックな独立気泡の熱可塑性発泡樹脂で形成され、内部に中空部８が二本形成されている。なお、前記桟木４を中空部８と直交して設けることにより、床下地材１を背骨効果として補強することもできる。
【０００９】
このエラスティックな独立気泡の熱可塑性発泡樹脂としては、高密度ポリエチレン、線状低密度ポリエチレン、ポリプロピレン、プロピレン・エチレン共重合体、スチレン・ポリエチレン共重合体などからなる密度が８〜４０ｇ／ｌの発泡形成体が使用される。このようなエラスティックな底板７で形成された中空部８により、床衝撃音の振動エネルギーが拡散および吸収されるので床遮音性が高められる。
【００１０】
また支持体３は、側壁６と底板７とをバネ定数が３０×１０6Ｎ／ｍ2以下のエラスティックな独立気泡の熱可塑性発泡樹脂で一体形成することもでき、このような熱可塑性発泡樹脂で形成された中空部８により、床衝撃音の振動エネルギーがより大きく拡散および吸収されるので床遮音性が高められる。
【００１１】
また図３は第２の実施の形態の床下地材９を示したものである。この床下地材９は、中空部８の内面のうちの少なくとも一面、例えば底面に凹凸部１０を形成したものであり、これ以外は第１の実施の形態の床下地材１と同じ構成である。このような中空部８における底面の凹凸部１０で、床衝撃音の振動エネルギーが乱反射されて振動エネルギーが減衰されるので、床遮音性を高めることができる。この凹凸部１０は中空部８の内面の全てや、側面と底面または側面にのみ設けることもできる。
【００１２】
また図４は第３の実施の形態の床下地材１１を示したものである。この床下地材１１は、中空部の内壁１２が下側に向かって漸次外側に広がった（テーパー）ものであり、これ以外は第１の実施の形態の床下地材１と同じ構成である。このように中空部の内壁１２を下側に向かって漸次外側に広げると、床衝撃音の振動エネルギーが拡散されるので床遮音性が高められる。
【００１３】
また図５は、第４の実施の形態の床下地材１３を示したものである。この床下地材１３はラバー材やブチルテープ材などの軟質の吸音材１４を、中空部８の側面および底面に貼り付けたものであり、これ以外は第１の実施の形態の床下地材１と同じ構成である。この軟質の吸音材１４で床衝撃音の振動エネルギーを吸収するので、床遮音性が高められる。この吸音材１４は中空部８の側面または底面にのみ、または側面、底面および天面にも設けることもできる。また吸音材１４は桟木４とその周囲に設けることもできる。
【００１４】
また図６は、第５の実施の形態の床下地材１５を示したものである。この床下地材１３は、中空部８にグラスウールなどの繊維状の吸音材１４ａを充填したものであり、これ以外は第１の実施の形態の床下地材１と同じ構成である。この繊維状の吸音材１４ａで床衝撃音の振動エネルギーを吸収するので、床遮音性が高められる。
【００１５】
また図７は、第６の実施の形態の床下地材１６を示したものである。この床下地材１６は中空部８の側面に小さな貫通孔１６ａを設けたものであり、これ以外は第１の実施の形態の床下地材１と同じ構成である。この貫通孔１６ａによって床衝撃音の振動エネルギーが拡散されるので床遮音性が高められる。この貫通孔１６ａは側面および底面にも設けることができる。
【００１６】
また図８は、第７の実施の形態の床下地材１７を示したものである。この床下地材１７は中空部８を平面円形にしたものであり、これ以外は第１の実施の形態の床下地材１と同じ構成である。このように中空部８の形状は任意であり、このほか平面楕円や多角形、あるいはスリット状または格子状にすることもできる。
【００１７】
また図９は、第８の実施の形態の床下地材１８を示したものである。この床下地材１８は支持体３を一つにしたものであり、これ以外は第１の実施の形態の床下地材１と同じ構成である。このように支持体３は一つまたは二つ、あるいはこれ以上であってもよい。
【００１８】
また図１０は、第９の実施の形態の床下地材１９を示したものである。この床下地材１９は中空部８を平面蜂の巣形、すなわちハニカム形状にしたものであり、これ以外は第１の実施の形態の床下地材１と同じ構成である。このように中空部８をハニカム形状にすると、床下地材１９自体の耐圧縮強度が増すとともに、床衝撃音の振動エネルギーが拡散されるので床遮音性が高められる。
【００１９】
また図１１は、第１０の実施の形態の床下地材２０を示したものである。この床下地材２０は上記の床下地材１８における平面六角形の中空部８を平面円形に代えたものであり、これ以外は第９の実施の形態の床下地材１と同じ構成であり、同じ効果を奏することができる。
【００２０】
また図１２および１３は、第１１および１２の実施の形態の床下地材２１、２２を示したものである。この床下地材２１、２２は第９および１０の実施の形態の床下地材１８、１９における支持体３を一つにしたものであり、これ以外は第９および１０の実施の形態の床下地材１８、１９同じ構成である。
【００２１】
なお、上記第２〜５の実施の形態の床下地材９、１１、１３、１５、１６における凹凸部１０と、テーパーと、吸音材１４、１４ａと、貫通孔１６ａとをそれぞれ任意に組み合わせた中空部を形成することができ、例えば第２〜５（図３と４と５と６）の実施の形態の床下地材９、１１、１３、１５における凹凸部１０と、テーパーと、吸音材１４、１４ａとを組み合わせた中空部を形成したり、第２と６（図３と７）の床下地材９、１６における凹凸部１０と貫通孔１６ａとを組み合わせた中空部を形成することもできる。さらに、上記凹凸部１０と、テーパーと、吸音材１４、１４ａと、貫通孔１６ａとをそれぞれ第７〜１２の実施の形態の床下地材１７、１８、１９、２０、２１、２２に適用することもできる。
【００２２】
図１４は、第１の実施の形態の床下地材１を使用して形成した床構造２０の実施の形態を示したものである。この床構造２３は、コンクリートスラブ２４の上にレベル調整用のモルタルなどの不陸調整材２５を介して床下地材１を敷き詰めたものであり、各床下地材１が接合段部５で隙間なく接合され、壁２６側には束立て２７を介して際根太２８が設けられている。また床下地材１の上面には、合板、コンパネなどの捨張り２９が敷き詰められる場合があり、これらの上には仕上げ材２９ａが張られている。このように床下地材１に形成された中空部８が床衝撃音の振動エネルギーを吸収することにより、床遮音性が高められた床構造２３を構築することができる。
【００２３】
下記の表は、上記の床構造２３の床衝撃音レベルの低減量を示したものであり、床衝撃音については１２５Ｈｚで大きな効果が発揮された。これにより下記の効果を確認することができた。
【００２４】
【表１】
0004023530.tif 000002
【００２５】
また、上記の床下地材１の他に、第２〜１２の実施の形態の床下地材９、１１、１３、１５、１６、１７、１８、１９、２０、２１、２２を使用した床構造を構築することもでき、これらを少なくとも１種以上任意に組み合わせた床構造を構築することもできる。
【００２６】
【発明の効果】
支持体に設けた中空部により、床遮音性を高めることができる。
【００２７】
中空部の側面または底面に形成した凹凸部で、床衝撃音の振動エネルギーが乱反射されるので床遮音性を高めることができる。
【００２８】
中空部の内壁が下側に向かって漸次外側に広がったことにより、床衝撃音の振動エネルギーが拡散されるので床遮音性を高めることができる。
【００２９】
中空部の側面または底面に貼り付けられた軟質の吸音材で、床衝撃音の振動エネルギーを吸収することができるので、床遮音性を高めることができる。
【００３０】
中空部に充填した繊維状の吸音材で床衝撃音の振動エネルギーを吸収することができるので、床遮音性を高めることができる。
【００３１】
中空部の側面または底面に設けた小さな貫通孔で床衝撃音の振動エネルギーを拡散することができるので、床遮音性を高めることができる。
【００３２】
平面方形、平面円形、平面多角形、平面蜂の巣形の中空部により、床衝撃音の振動エネルギーが拡散されるので床遮音性が高められる。
【００３３】
床遮音性の高い床構造を構築することができる。
【００３４】
床下地材の上に合板やコンパネなどの捨張りを敷き込むことにより、床遮音性をより一層高めることができる。
【図面の簡単な説明】
【図１】第１の実施の形態の床下地材であり、（１）は平面図、（２）は床下地材をひっくり返した状態の断面図、（３）は（１）のＡ−Ａ線断面図である。
【図２】第１の実施の形態の床下地材の斜視図である。
【図３】第２の実施の形態の床下地材の断面図である。
【図４】第３の実施の形態の床下地材の断面図である。
【図５】第４の実施の形態の床下地材の断面図である。
【図６】第５の実施の形態の床下地材の断面図である。
【図７】第６の実施の形態の床下地材の断面図である。
【図８】第７の実施の形態の床下地材の平面図である。
【図９】第８の実施の形態の床下地材であり、（１）は背面図、（２）は（１）のＢ−Ｂ線断面図である。
【図１０】第９の実施の形態の床下地材であり、（１）は背面側の断面図、（２）は（１）のＣ−Ｃ線断面図である。
【図１１】第１０の実施の形態の床下地材であり、（１）は背面側の断面図、（２）は（１）のＤ−Ｄ線断面図である。
【図１２】第１１の実施の形態の床下地材の背面側の断面図である。
【図１３】第１２の実施の形態の床下地材の背面側の断面図である。
【図１４】（１）は床構造の平面図、（２）は（１）のＥ−Ｅ線断面図である。
【図１５】従来の床構造の断面図である。
【符号の説明】
１、９、１１、１３、１５、１７、１８、１９、２０、２１、２２、３３  床下地材
２  下地部
３  支持体
４  桟木
５  接続段部
６  側壁
７  底板
８  中空部
１０  凹凸部
１２  内壁
１４  吸音材
１６ａ  貫通孔
２３、３０  床構造
２４、３１  コンクリートスラブ
２５、３２  不陸調整材
２６  壁
２７  束立て
２８  際根太
２９  捨張り
２９ａ、３４  仕上げ材
【図１】
0004023530.tif 000003
【図２】
0004023530.tif 000004
【図３】
0004023530.tif 000005
【図４】
0004023530.tif 000006
【図５】
0004023530.tif 000007
【図６】
0004023530.tif 000008
【図７】
0004023530.tif 000009
【図８】
0004023530.tif 000010
【図９】
0004023530.tif 000011
【図１０】
0004023530.tif 000012
【図１１】
0004023530.tif 000013
【図１２】
0004023530.tif 000014
【図１３】
0004023530.tif 000015
【図１４】
0004023530.tif 000016
【図１５】
0004023530.tif 000017